(57)【要約】【課題】  対象遊技機に係る遊技者、遊技場及びメーカの三者にメリットがある遊技システムを提供する。【解決手段】  複数の遊技場に設置され、かつ、特定メーカ又は特定機種に属する対象遊技機１０Ａを対象とした遊技システムであって、対象遊技機１０Ａの内部抽選毎に所定の抽選確率で特典抽選を行い、当該特典抽選に当選した対象遊技機１０Ａに係る遊技場及び／又は遊技者に対して、特定メーカが所定金額の有価価値を特典として付与するものとし、抽選確率が、対象遊技機１０Ａの総設置台数と、所定期間における対象遊技機１０Ａの推定内部抽選回数をもとに算出される。【選択図】      図３
2006345905.tif 000002
【特許請求の範囲】
【請求項１】
複数の遊技場に設置される、特定メーカ又は当該特定メーカの特定機種に属する所定の特典付与対象遊技機に特典を付与する特典付与遊技システムであって、
各特典付与対象遊技機で行われる内部抽選毎に、特典付与対象遊技機の総設置台数と所定期間における全特典付与対象遊技機の推定内部抽選回数に基づいて設定される所定の抽選確率による所定の特典抽選を行い、当該特典抽選に当選した特典付与対象遊技機に係る遊技場及び／又は遊技者に対して、前記特定メーカによる所定金額の有価価値を特典として付与することを特徴とする特典付与遊技システム。
【請求項２】
前記所定期間が、前記特典抽選の当選を発生させる所望の周期に設定される請求項１記載の特典付与遊技システム。
【請求項３】
前記所定金額が、少なくとも前記特典付与対象遊技機の総設置台数及び前記所定期間に基づいて設定される請求項１又は２記載の特典付与遊技システム。
【請求項４】
各特典付与対象遊技機の内部又は近傍に設置される抽選装置を備え、
この抽選装置により、各特典付与対象遊技機毎に前記特典抽選が行われる請求項３記載の特典付与遊技システム。
【請求項５】
前記抽選装置が、対応する特典付与対象遊技機から出力される内部抽選信号を入力し、当該信号入力毎に乱数を発生させる乱数発生手段を備える請求項４記載の特典付与遊技システム。
【請求項６】
前記抽選装置が、所定の時間帯にのみ前記特典抽選を行う請求項４又は５記載の特典付与遊技システム。
【請求項７】
前記抽選装置が、対応する特典付与対象遊技機から出力される内部抽選信号を入力して不正を判定する不正信号判定手段を備え、不正と判定した場合、以降の抽選動作を制限する請求項４，５又は６記載の特典付与遊技システム。
【請求項８】
前記抽選装置が、前記特典付与対象遊技機に対する装置の分解を判定する分解判定手段を備え、当該装置の分解を判定した場合、以降の抽選動作を制限する請求項４乃至７のいずれかに記載の特典付与遊技システム。
【請求項９】
前記抽選装置が、前記特典抽選の当選及び／又は前記特典抽選の不能を外部に報知する報知手段を備える請求項４乃至８のいずれかに記載の特典付与遊技システム。
【発明の詳細な説明】
【技術分野】
【０００１】
本発明は、パチンコ機やパチスロ機のように、複数の遊技場に設置される特定メーカ又は特定機種に属する遊技機を対象に所定の特典付与を行う特典付与遊技システムに関し、特に、特定の特典付与対象遊技機を設置した遊技場や、その遊技機で遊技する遊技者に対して、当該遊技機のメーカが特典を付与する特典付与遊技システムに関する。
【背景技術】
【０００２】
近年、パチンコ機やパチスロ機（スロットマシン）等の遊技機で遊技を行う遊技者に対して特典を付与するシステムが種々が提案されている。
一般に、遊技場（ホール）が遊技者に対して特典を付与するシステムとしては、会員システムが広く知られている。
遊技場の会員システムは、通常、会員となった遊技者に会員カードを発行して、会員の来店や遊技に応じてポイントを付与し、ポイントが貯まると、ポイントに応じた特典（景品など）が遊技場から会員に付与されるというものである。
【０００３】
最近では、このような会員向けのポイント付与システムに加えて、新たな特典付与システムが提案されている。
例えば、特許文献１には、遊技媒体貸出用の記録媒体（共通カード）を発行する記録媒体発行会社が遊技者に対して特典を付与するシステムが提案されている。
このシステムでは、遊技媒体貸出用の共通カードの使用に応じてＪＡＣＫＰＯＴカウンタを増額更新し、ＪＡＣＫＰＯＴ入賞（遊技機の特別入賞状態）を達成した遊技者に対して、ＪＡＣＫＰＯＴカウンタ値の一部が付与される。
このような特典付与システムによれば、遊技者に対して、本来の遊技以外に、ＪＡＣＫＰＯＴ入賞による遊技媒体（記録媒体）の付与という利益を与えることが可能となる。
【０００４】
また、特許文献２には、遊技機メーカが遊技者に対して特典を付与するシステムとして、遊技者がある特定の機種で遊技した場合、その遊技頻度に関わるデータの集計値を更新し、更新された集計値が所定の設定値に達したときに、遊技者に対して所定の特典を付与することが提案されている。
このような特典付与システムによれば、遊技者の遊技の実行回数に応じて得点が加算されて金額価値が付与されるので、多くの遊技を行う遊技者程多くの特典が得られることになり、メーカにとって特に上得意客に対するサービスを向上させることが可能となる。
【０００５】
【特許文献１】特開平６−２８５２４３号公報
【特許文献２】特開２００４−２６１３７４号公報
【発明の開示】
【発明が解決しようとする課題】
【０００６】
しかしながら、以上のような従来の特典付与システムでは、主に遊技者にとって一定の特典・利益が与えられるものであるが、メーカ，遊技場及び遊技者の三者にとって、必ずしもメリットのあるものではなかった。
まず、特許文献１記載のシステムでは、特典付与は当該遊技場における遊技機についてのみ行われ、かつ、その遊技場に設置される全ての遊技機を対象に行われるため、遊技機のメーカや機種によって特典付与に差異はなかった。このため、遊技者や遊技場にとっては一定のメリットがあったが、多数のホールに自社製品を納入・設置しているメーカや、ある特定機種について特典を付与して人気獲得や販売促進を図りたいメーカにとってはほとんどメリットのないシステムであった。
【０００７】
一方、特許文献２の特典付与方法によれば、対象遊技機の遊技者に対して特典を付与することができるので、遊技機メーカにとっては、自社の製品，機種を好む上得意の遊技者に対してサービスの向上が図れるという点でメリットがある。しかしながら、この特許文献２の特典付与方法は、遊技の実行回数に応じてポイントが加算されるもので、遊技者がどれだけその遊技機で遊技を行ったかということのみが対象となるため、特典付与の方法自体は特に面白味のあるものではなく、むしろ遊技者にとっては、その遊技機で負けが込んでいるからその負け分について恩恵を施されたと感じられる可能性もあり、遊技者にとっても、遊技場にとってもマイナスとなるおそれがあった。
パチンコ機やパチスロ機の遊技者にとっては、遊技の結果抽選に当選するという快感には代えがたいものがあり、単に遊技をたくさん行ったから累積ポイントが与えられるというのでは、魅力ある特典とはなり得なかった。
【０００８】
本発明は、以上のような従来の技術が有する課題を解決するために提案されたものであり、パチンコ機やパチスロ機等の遊技機について、複数の遊技場に設置される特定メーカや特定機種に属する遊技機を対象にして抽選により特典付与を決定し、当該遊技機のメーカが所定の特典付与を行うことにより、特定の遊技機に係る遊技者，遊技場及びメーカの三者にとってメリットを与えることができる特典付与遊技システムを提供することを目的とする。
【課題を解決するための手段】
【０００９】
上記目的を達成するため、本発明の特典付与遊技システムは、請求項１に記載するように、複数の遊技場に設置される、特定メーカ又は特定機種に属する所定の特典付与対象遊技機に特典を付与する特典付与遊技システムであって、各特典付与対象遊技機で行われる内部抽選毎に、特典付与対象遊技機の総設置台数と所定期間における全特典付与対象遊技機の推定内部抽選回数に基づいて設定される所定の抽選確率による所定の特典抽選を行い、当該特典抽選に当選した特典付与対象遊技機に係る遊技場及び／又は遊技者に対して、前記特定メーカからの所定金額の有価価値を特典として付与する構成としてある。
【００１０】
このような構成からなる本発明の特典付与遊技システムによれば、パチンコ機やパチスロ機等の遊技機について、複数の遊技場に設置される特定メーカや特定機種に属する遊技機を対象とし、所定の当選確率に基づく抽選によって特典付与を決定し、当該遊技機のメーカにより所定の特典付与を行うことにより、特定の遊技機に係る遊技者，遊技場及びメーカの三者にとってメリットを与えることができる特典付与を実現することができる。
【００１１】
まず、対象遊技機のメーカにとっては、対象遊技機の売上利益の一部を特典として当該遊技機を設置する遊技場や当該遊技機で遊技する遊技者に還元し、その遊技機の販売促進・人気獲得を図ることができる。すなわち、遊技場に対しては、当該遊技機の採用の有力なセールポイントとなり、遊技者に対しても、知名度のアップや多数のファン獲得・拡大を期待できる。
また、特典抽選の当選確率を、対象遊技機の総設置台数と、所定期間における対象遊技機の推定内部抽選回数に基づいて設定することで、対象遊技機の売上利益等に応じて適切な確率で当選を発生させることができ、メーカが負担する特典が過剰な経費負担となることなく、効果的な特典付与効果を期待できる。
【００１２】
また、対象遊技機を設置している遊技場にとっては、メーカ側が特典を負担することにより、経費を負担することなく特典抽選による集客効果や新規遊技客の獲得を期待することができる。また、特典を遊技場が受け取ることにより、特典として付与される有価価値を次期導入遊技機の購入代金に充当したり、対象遊技機の出玉率を上げて遊技者に還元することができる。
【００１３】
また、遊技者にとっては、特典が得られるというメリットだけでなく、抽選に当選することで特典が得られることで、累積ゲーム数によるポイント付与とは大きく異なり、遊技者にとって当選という大きな満足感，達成感が得られ、さらに、特典抽選の当選への期待感というあらたなゲーム性も付加され、より魅力のある遊技を楽しむことができるようになる。
【００１４】
また、請求項２に記載するように、前記所定期間が、前記特典抽選の当選を発生させる所望の周期に設定される構成としてある。
このようにすると、対象遊技機全体における理論上の当選発生周期を任意に設定できるとともに、当選発生周期の最適化により、特典抽選に対する興味を向上させることができる。
【００１５】
また、請求項３に記載するように、前記所定金額が、少なくとも前記特典付与対象遊技機の総設置台数及び前記所定期間に基づいてい設定される構成としてある。
このようにすると、対象遊技機を設置する遊技場や対象遊技機で遊技する遊技者に対し、対象遊技機に係る売上利益等の一部をほぼ一定の割合で還元することができる。
【００１６】
具体的には、請求項４に記載するように、本発明の特典付与遊技システムは、各特典付与対象遊技機の内部又は近傍に設置される抽選装置を備え、この抽選装置により、各特典付与対象遊技機毎に前記特典抽選が行われる構成としてある。
特に、抽選装置は、請求項５に記載するように、対応する特典付与対象遊技機から出力される内部抽選信号を入力し、当該信号入力毎に乱数を発生させる乱数発生手段を備える構成としてある。
このようにすると、遊技機内部や遊技機近傍のスペースを有効利用して抽選装置を設置することで、所望の特典付与対象毎に抽選装置を付加して本発明に係る特典付与遊技システムを構築することができる。
【００１７】
また、請求項６に記載するように、前記抽選装置が、所定の時間帯にのみ前記特典抽選を行う構成としてある。
このようにすると、営業時間内に限って抽選動作を行い、営業時間外における不正な抽選動作を防止することができる。
【００１８】
また、請求項７に記載するように、前記抽選装置が、対応する特典付与対象遊技機から出力される内部抽選信号を入力して不正を判定する不正信号判定手段を備え、不正と判定した場合、以降の抽選動作を制限する構成としてある。
このようにすると、例えば、遊技機からの入力信号（内部抽選信号）の間隔が異常に小さい場合や、入力信号の間隔に規則性がある場合には、不正と判定して以降の抽選動作を停止させることができる。
【００１９】
また、請求項８に記載するように、前記抽選装置が、前記特典付与対象遊技機に対する装置の分解を判定する分解判定手段を備え、当該装置の分解を判定した場合、以降の抽選動作を制限する構成としてある。
このようにすると、遊技機の装置を分解して内部を細工し、不正に当選を発生させる行為を防止することができる。
【００２０】
また、請求項９に記載するように、前記抽選装置が、前記特典抽選の当選及び／又は前記特典抽選の不能を外部に報知する報知手段を備える構成としてある。
このようにすると、特典抽選の当選、不正の検知及び／又は装置の分解を遊技場スタッフや遊技者に報知することができる。
【発明の効果】
【００２１】
本発明の特典付与遊技システムによれば、パチンコ機やパチスロ機等の遊技機について、複数の遊技場に設置される特定メーカや特定機種に属する遊技機を対象にして、所定の当選確率に基づく抽選によって特典付与を決定し、当該遊技機のメーカが所定の特典付与を行うことができる。
これにより、特定の遊技機に係る遊技者，遊技場及びメーカの三者にとってメリットを与えることができる特典付与を実現することができる。
【発明を実施するための最良の形態】
【００２２】
以下、本発明の特典付与遊技システムの一実施形態について、図面を参照して説明する。
図１は、本発明の一実施形態に係る特典付与遊技システムが適用される遊技場の概略構成を示すブロック図である。
同図に示すように、遊技場には、遊技機１０（Ａ〜Ｃ）、台ユニット２０、島ユニット３０、ホールコンピュータ４０、遊技データ表示装置５０などが設置されている。
遊技機１０（Ａ〜Ｃ）は、パチンコ機やパチスロ機（スロットマシン）であり、通常、複数メーカの複数機種が含まれている。本発明の特典付与遊技システムは、複数の遊技場に設置され、かつ、特定メーカ又は特定機種に属する対象遊技機１０Ａを対象とし、対象遊技機１０Ａに係る遊技場及び／又は遊技者に対して、対象遊技機１０Ａのメーカが特典を付与するためのものである。
【００２３】
台ユニット２０は、一又は複数の遊技機１０（Ａ〜Ｃ）に接続され、各遊技機１０（Ａ〜Ｃ）から出力される外部出力信号を蓄積又は集計し、これを島ユニット３０へ送信する中継ユニットである。
島ユニット３０は、一又は複数の台ユニット２０に接続され、台ユニット２０から受信した信号を蓄積又は集計し、これをハブ６０などを介してホールコンピュータ４０や遊技データ表示装置５０へ送信する中継ユニットである。
【００２４】
ホールコンピュータ４０は、ハブ６０を介して一又は複数の島ユニット３０に接続され、島ユニット３０から受信した信号を集計し、その表示や保存を行う。ホールコンピュータ４０の操作は、主に遊技場の管理者が行い、集計された遊技データは、遊技場の運営管理に利用される。
遊技データ表示装置５０は、ハブ６０を介して一又は複数の島ユニット３０に接続され、島ユニット３０から受信した信号を集計し、その表示や保存を行う。遊技データ表示装置５０の操作は、主に遊技者が行い、集計された遊技データは、遊技者の台選びなどに利用される。
【００２５】
図２は、本発明の一実施形態に係る特典付与遊技システムを構成する遊技機（スロットマシン）の概略構成を示すブロック図である。
この図に示すように、スロットマシンからなる遊技機１０は、複数の回胴で構成される回胴可変表示装置１１と、回胴可変表示装置１１を制御する可変表示制御装置１２と、回胴可変表示装置１１の回転動作をスタートさせるスタートレバー１３と、回胴可変表示装置１１の回転動作を停止させる複数のストップボタン１４と、クレジットから賭けメダルを引き落とすＢＥＴボタン１５と、メダル投入信号（内部抽選信号）、メダル払い出し信号、ボーナス信号などの外部出力信号を出力する外部出力端子盤１６と、装置全体を制御する遊技用制御基板１７とを備えて構成されている。
【００２６】
このように構成された遊技機１０では、所定枚数の賭けメダルが投入された場合、ＢＥＴボタン１５により賭けメダルが引き落とされた場合、又は、前回の遊技結果が再遊技であった場合に、スタートレバー１３の操作に応じて内部抽選を行い、回胴可変表示装置１１の回転動作をスタートさせる。そして、ストップボタン１４の操作によって回胴可変表示装置１１の回転動作を停止させ、回胴可変表示装置１１において停止図柄が表示されることにより、一回の遊技が終了する。この一回の遊技（内部抽選）を示す外部出力信号は、スタートレバー１３を操作したとき、賭けメダル数を示すメダル投入信号（１〜３パルス信号）として外部出力端子盤１６から外部に出力される。このメダル投入信号は、通常、台ユニット２０、島ユニット３０などを経由してホールコンピュータ４０に送られて集計される。
【００２７】
なお、図示は省略するが、パチンコ機からなる遊技機１０（Ａ〜Ｃ）の場合は、特別始動入賞口に遊技球が入賞することにより内部抽選が行われ、特別図柄可変表示装置が可変表示を開始する。そして、所定時間後、特別図柄可変表示装置が抽選の結果を停止図柄として表示することで一回の遊技が終了する。この一回の遊技（内部抽選）を示す外部出力信号は、特別図柄変動表示装置の表示が停止したとき、特別図柄始動信号（１パルス信号）として外部出力端子盤から外部に出力される。この特別図柄始動信号は、通常、台ユニット２０、島ユニット３０などを経由してホールコンピュータ４０に送られて集計される。
【００２８】
図２に示すように、対象遊技機１０Ａの外部出力端子盤１６には、抽選装置７０が接続されている。抽選装置７０は、対象遊技機１０Ａから内部抽選毎に出力される信号を入力し、当該信号入力毎に乱数を発生させ、所定の抽選確率で特典抽選を行う。この特典抽選に当選すると、対象遊技機１０Ａに係る遊技場及び／又は遊技者に対して、対象遊技機１０Ａのメーカから所定金額の有価価値が特典として付与される。
抽選装置７０は、任意の場所に設置できる。例えば、対象遊技機１０Ａの内部に設置したり、対象遊技機１０Ａの近傍に設置することができる。
【００２９】
特典抽選の抽選確率は、対象遊技機１０Ａの総設置台数（全国の遊技場に設置されている対象遊技機１０Ａの合計台数）と、所定期間（当選を発生させる周期）における対象遊技機１０Ａの推定内部抽選回数をもとに算出され設定される。
例えば、特定メーカが全国で２０万台販売した特定機種を対象とし、全国で一ヶ月に一回の割合で当選を発生させる場合、まず、所定期間（３０日）における対象遊技機１０Ａの平均内部抽選回数（例えば、４０００／１日×３０日＝１２０，０００回）を推定する。つぎに、対象遊技機１０Ａの総設置台数（２００，０００台）に平均内部抽選回数（１２０，０００回）を掛けると、その逆数が特典抽選の抽選確率（１／２４，０００，０００，０００）として算出・設定される。
【００３０】
図３は、本実施形態に係る抽選装置の構成を示すブロック図である。
この図に示すように、抽選装置７０は、抽選手段７１と、当選報知手段７２と、不正信号判定手段７３と、分解判定手段７４と、不正報知手段７５とを備えて構成されている。
抽選手段７１は、高周波駆動信号に応じて乱数を発生させる抽選カウンタを有し、対象遊技機１０Ａからの内部抽選信号に応じて抽選カウンタから乱数が抽出される。この乱数は、あらかじめ書き込まれた当選データと比較され、これらが一致したとき、特典抽選の当選とする。
例えば、上記の抽選確率で抽選を行う場合は、３５ビットの抽選カウンタとし、当選データとして３５ビットの２進数（例えば、各ビットオール０）をあらかじめ設定することにより、乱数抽選が可能になる。
【００３１】
特典抽選に当選した場合は、乱数データをロックさせるとともに、以降の抽選動作を停止させる（リセットにより再開）。このとき、当選報知手段７２は、ランプなどで当選を表示するとともに、当選信号を外部に出力する。当選の確認は、遊技者が行ってもよいし、遊技場のスタッフが行ってもよい。例えば、抽選装置７０から出力される当選信号を台ユニット２０、島ユニット３０などを経由してホールコンピュータ４０に送信すれば、ホールコンピュータ４０で特典抽選の当選確認を行うことが可能になる。
特典抽選の当選が発生した場合、遊技場が対象遊技機１０Ａのメーカに当選の連絡を行う。当選の連絡を受けたメーカは、抽選装置７０の状態を確認した後（ロックされた乱数データが当選データと一致しているかを確認）、該当する遊技場及び／又は遊技者に特典を付与する。
【００３２】
不正信号判定手段７３は、対象遊技機１０Ａに対する不正を検知・判定するとともに、不正を検知・判定した場合、以降の抽選動作を制限する。
例えば、不正信号判定手段７３は、所定の時間帯に対象遊技機１０Ａからの内部抽選信号を入力し、定められた時間帯以外には内部抽選信号の受付けを停止する。このようにすると、遊技場の営業時間内に限って抽選動作を行い、営業時間外における不正な抽選動作を防止することができる。
また、不正信号判定手段７３は、対象遊技機１０Ａからの内部抽選信号を入力し、その入力信号（内部抽選信号）の間隔が異常に小さい場合や、入力信号の間隔に規則性がある場合には、パルス発生器等を使用した不正が行われていると判定し、以降の抽選動作を停止させる。
また、不正信号判定手段７３は、接点信号／電圧信号の信号種別を判定し、異種の信号を入力した場合にも、不正と判定し、以降の抽選動作を停止させることができる。
【００３３】
分解判定手段７４は、抽選装置７０の分解を判定し、以降の抽選動作を停止させる。例えば、封印された抽選装置７０のカバーが開放された場合、これをセンサで検出し、抽選動作を停止させる。このようにすると、抽選装置７０の内部を細工し、不正に当選を発生させる行為を防止できる。
不正報知手段７５は、不正信号判定手段７３により不正が検知され、また、分解判定手段７４で抽選装置７０の分解が判定された場合に、これをランプで報知したり、不正信号を外部に出力する。例えば、抽選装置７０から出力される不正報知信号を台ユニット２０、島ユニット３０などを経由してホールコンピュータ４０に送信すれば、ホールコンピュータ４０で抽選装置７０に対する不正を確認することが可能になる。
【００３４】
特典抽選の当選に応じて付与される特典の有価価値（金額）は、少なくとも対象遊技機１０Ａの総設置台数及び当選発生期間をもとに算出されることが好ましい。例えば、対象遊技機１０Ａの総設置台数に販売価格を乗じ、これを推定稼働寿命年数で除して、年当りの総販売価格を算出し、その価格に所定の係数を乗じて、その金額を一年間に特典として付与する有価価値とする。そして、当選発生期間を一ヶ月とする場合は、上記有価価値の１／１２を特典として付与する。
【００３５】
特典を遊技場及び／又は遊技者に付与する方法に制限はない。例えば、遊技者の射幸心を刺激することが懸念されるのであれば、特典を遊技場に付与し、遊技場の裁量に任せてもよい。
また、付与される特典の形態は、現金（振り込み）が容易であるが、これが許され得ない場合は、有価証券を遊技場に付与してもよい。
特典が付与された遊技場は、その有価価値を射幸心を刺激しない範囲で遊技者に付与することが好ましい。例えば、適当な金額の商品、会員システムの貯玉、ポイントなどとして付与することができる。遊技場は、付与された有価価値の全てを遊技者に付与する必要はなく、例えば、残った有価価値の分だけ対象遊技機１０Ａの出玉率を向上させ、対象遊技機１０Ａの遊技者に還元してもよい。
【００３６】
つぎに、抽選装置７０の制御手順について、図４〜図６を参照して説明する。
図４は、本発明の一実施形態に係る抽選装置による抽選処理手順を示すフローチャートである。
この図に示すように、抽選装置７０は、後述の不正判定処理（Ｓ１０１）や分解判定処理（Ｓ１０２）を実行した後、抽選停止フラグの状態を判断し（Ｓ１０３）、これがリセット状態である場合、以下の抽選処理を行う。
【００３７】
抽選処理では、まず、正規の内部抽選信号が入力されたか否かを判断し（Ｓ１０４）、この判断結果がＹＥＳの場合、乱数を取得するとともに（Ｓ１０５）、取得した乱数データと当選データを比較する（Ｓ１０６）。比較の結果、両データが一致した場合は（Ｓ１０７）、その乱数データをロックするとともに（Ｓ１０８）、抽選停止フラグをセットし（Ｓ１０９）、所定の当選報知を行う（Ｓ１１０）。
これにより、抽選装置７０は、当選乱数を保持しつつ抽選停止状態となる。この状態は、対象遊技機１０Ａのメーカ担当者が当選乱数を確認後、抽選装置７０をリセット操作することにより解除される。
【００３８】
図５は、本発明の一実施形態に係る抽選装置による不正判定処理手順を示すフローチャートである。
この図に示すように、不正判定処理では、まず、内部抽選信号の入力を判断し（Ｓ２０１）、この判断結果がＹＥＳの場合は、時間帯の確認を行う（Ｓ２０２）。ここで営業時間外であると判断した場合は、正規の信号入力とは認めず、そのまま処理を終了する。
一方、営業時間内である場合は、今回入力した内部抽選信号と、過去に入力した内部抽選信号との間隔チェックを行う（Ｓ２０３）。ここで、入力間隔が異常に小さい場合や（Ｓ２０４）、入力間隔に一定の規則性がある場合には（Ｓ２０５）、不正と判断して抽選停止フラグをセットするとともに（Ｓ２０６）、所定の不正報知を行う（Ｓ２０７）。一方、信号の入力間隔に問題がない場合は、正規の信号入力であると認め（Ｓ２０８）、前述の抽選処理を許可する。
【００３９】
図６は、本発明の一実施形態に係る抽選装置による分解判定処理手順を示すフローチャートである。
この図に示すように、分解判定処理では、装置の分解を検出する分解センサ（例えば、カバーオープン検出スイッチ）のＯＮ／ＯＦＦを常に監視する（Ｓ３０１）。そして、分解センサがＯＮになったら、抽選装置７０の分解であると判断し、抽選停止フラグをセットするとともに（Ｓ３０２）、所定の不正報知を行う（Ｓ３０３）。
【００４０】
以上説明したように、本実施形態に係る特典付与遊技システムによれば、複数の遊技場に設置され、かつ、特定メーカ又は特定機種に属する対象遊技機１０Ａを対象とした遊技システムであって、対象遊技機１０Ａの内部抽選毎に所定の抽選確率で特典抽選を行い、当該特典抽選に当選した対象遊技機１０Ａに係る遊技場及び／又は遊技者に対して、特定メーカが所定金額の有価価値を特典として付与するものとし、抽選確率が、対象遊技機１０Ａの総設置台数と、所定期間における対象遊技機１０Ａの推定内部抽選回数をもとに算出されるようにしたので、対象遊技機１０Ａに係る遊技者、遊技場及びメーカの三者にメリットがある。
【００４１】
まず、対象遊技機１０Ａのメーカにとっては、対象遊技機１０Ａの売上利益の一部を特典として当該遊技機１０Ａを設置する遊技場や当該遊技機１０Ａで遊技する遊技者に還元し、その遊技機の販売促進・人気獲得を図ることができる。すなわち、遊技場に対しては、当該遊技機の採用の有力なセールポイントとなり、遊技者に対しても、知名度のアップや多数のファン獲得を期待できる。
また、特典抽選の当選確率を、対象遊技機１０Ａの総設置台数と、所定期間における対象遊技機１０Ａの推定内部抽選回数に基づいて算出・設定することで、対象遊技機１０Ａの売上利益等に応じて適切な確率で当選を発生させることができ、メーカが負担する特典が過剰な経費負担となることなく、効果的な特典付与効果を期待できる。
【００４２】
また、対象遊技機１０Ａを設置している遊技場にとっては、メーカ側が特典を負担することにより、経費を負担することなく特典抽選による集客効果や新規遊技客の獲得を期待することができる。また、特典を遊技場が受け取ることにより、特典として付与される有価価値を次期導入遊技機の購入代金に充当したり、対象遊技機１０Ａの出玉率を上げて遊技者に還元することができる。
【００４３】
また、遊技者にとっては、遊技本来の入賞払出しに加えて別途特典が得られるというメリットだけでなく、所定の特典抽選に当選することで特典が得られることで、従来の累積ゲーム数によるポイント付与等とは大きく異なる、遊技者にとって当選という大きな満足感，達成感が得られ、さらに、特典抽選の当選への期待感というあらたなゲーム性も付加され、より魅力のある遊技を楽しむことができるようになる。
【００４４】
以上、本発明の特典付与遊技システムについて、好ましい実施形態を示して説明したが、本発明に係る特典付与遊技システムは、上述した実施形態にのみ限定されるものではなく、本発明の範囲で種々の変更実施が可能であることは言うまでもない。
例えば、上述した実施形態では、本発明が適用される遊技場の遊技機としてスロットマシン（パチスロ機）を例に説明したが、本発明が適用可能な遊技場に設置される遊技機としては、特にスロットマシンに限定されるものではなく、遊技機本来の入賞払出等に加えて別途特典付与が可能な遊技機である限り、遊技機の種類や設置態様，設置数等は特に限定されず、どのような遊技機や遊技場に対しても適用することができる。
一般に、遊技場に設置される遊技機としては、スロットマシンの他、例えば、パチンコ機，アレンジボール機，雀球機等、玉やコイン等の遊技媒体を使用して遊技を行う各種の遊技機があり、これらの遊技機をどのような態様等で設置する遊技場であっても、本発明の特典付与遊技システムの対象とすることができる。
【産業上の利用可能性】
【００４５】
本発明は、複数の遊技場に設置され、かつ、特定メーカ又は特定機種に属する対象遊技機を対象とした遊技システムや、この遊技システムに用いられる抽選装置に適用される。特に、対象遊技機を設置した遊技場や、対象遊技機の遊技者に対して、対象遊技機のメーカが特典を付与する遊技システム及び抽選装置において有用である。
【図面の簡単な説明】
【００４６】
【図１】本発明の一実施形態に係る特典付与遊技システムが適用される遊技場の構成を示すブロック図である。
【図２】本発明の一実施形態に係る特典付与遊技システムを構成する遊技機（スロットマシン）の概略構成を示すブロック図である。
【図３】本発明の一実施形態に係る特典付与遊技システムの抽選装置の構成を示すブロック図である。
【図４】本発明の一実施形態に係る特典付与遊技システムの抽選装置による抽選処理手順を示すフローチャートである。
【図５】本発明の一実施形態に係る特典付与遊技システムの抽選装置による不正判定処理手順を示すフローチャートである。
【図６】本発明の一実施形態に係る特典付与遊技システムの抽選装置による分解判定処理手順を示すフローチャートである。
【符号の説明】
【００４７】
１０  遊技機
１０Ａ  対象遊技機
２０  台ユニット
３０  島ユニット
４０  ホールコンピュータ
５０  遊技データ表示装置
６０  ハブ
７０  抽選装置
７１  抽選手段
７２  当選報知手段
７３  不正信号判定手段
７４  分解判定手段
７５  不正報知手段
【図１】
2006345905.tif 000003
【図２】
2006345905.tif 000004
【図３】
2006345905.tif 000005
【図４】
2006345905.tif 000006
【図５】
2006345905.tif 000007
【図６】
2006345905.tif 000008